(57)【特許請求の範囲】
【請求項１】
機能部材が屋根へ設置された構造であって、前記屋根が、上面に高低差を有する立体瓦を葺設して形成され、前記立体瓦の上面に前記立体瓦と別部材の受け材が固定され、前記受け材の下面が前記立体瓦の上面に合致するように形成され、前記受け材の端縁の断面形状が鋭角をなしており、前記立体瓦の上面の最低部を通る溝が棟側から軒側にかけて前記受け材の下面に形成され、前記受け材の上面に前記受け材と別部材の支持具が固定されていると共に前記支持具に前記機能部材が支持されていることを特徴とする機能部材の屋根への設置構造。
【請求項２】
機能部材が屋根へ設置された構造であって、前記屋根が、上面に高低差を有する立体瓦を葺設して形成され、前記立体瓦の上面に前記立体瓦と別部材の受け材が固定され、前記受け材の下面が前記立体瓦の上面に合致するように形成され、前記受け材の端縁の断面形状が鋭角をなしており、前記立体瓦の上面の最低部を通る隙間が棟側から軒側にかけて形成されるように前記受け材が分割され、分割された前記受け材の上面に前記受け材と別部材の支持具が架け渡して固定されていると共に前記支持具に前記機能部材が支持されていることを特徴とする機能部材の屋根への設置構造。
【請求項３】
前記立体瓦と前記受け材との間に防水材が介在されていることを特徴とする請求項１又は２に記載の機能部材の屋根への設置構造。
【請求項４】
前記受け材に上面から下面に貫通するビス孔が形成され、前記ビス孔に防水シール材が充填され、ビスが前記支持具から前記受け材の前記ビス孔に打入されることによって前記受け材の上面に前記支持具が固定されていることを特徴とする請求項１乃至３のいずれか一項に記載の機能部材の屋根への設置構造。
【発明の詳細な説明】
【技術分野】
【０００１】
本発明は、機能部材の屋根への設置構造に関するものである。
【背景技術】
【０００２】
従来、太陽電池（ＰＶ：Photovoltaic）、太陽熱温水器、看板類、アンテナ等の機能部材１を屋根２へ設置するにあたっては、例えば、図５に示すように、機能部材１を支持するための支持具７０が一体化した立体瓦３が用いられている。図５では機能部材１は図示省略している。通常、立体瓦３の上面は凹曲面のように高低差を有するので、もし支持具７０が別の部材で形成されていると、この支持具７０を立体瓦３の上面に安定して固定することが困難となる。そのため、屋根２を形成する複数の立体瓦３のうち、一部の立体瓦３はあらかじめ支持具７０を一体化して支持専用の立体瓦３０として製造されている。
【０００３】
しかし、支持専用の立体瓦３０は、通常、アルミニウム製など特別仕様であるため、コストが高くなるという問題がある。
【０００４】
他方、機能部材１を屋根２へ設置するにあたっては、図６に示すように、支持具７０の一端を野地板１３に固定し、葺設した立体瓦３同士の間から支持具７０の他端を出して、この他端で機能部材１を支持することも行われている。図６では機能部材１は図示省略している。
【０００５】
しかし、支持具７０を野地板１３に固定する場合には支持具７０の設置強度が弱くなりやすいので、支持具７０の設置個数を増やさなければならないという問題がある。
【０００６】
しかも上記の図５及び図６のいずれの場合であっても、屋根２を形成した後に支持具７０の位置に変更が生じた場合には、立体瓦３の葺設をやり直さなければならないという問題もある。
【０００７】
そこで、立体瓦３の形状に沿って形成された支持台（図示省略）を立体瓦３と支持具７０との間に介在させることが提案されている（例えば、特許文献１（図１８、図１９）参照）。
【０００８】
しかし、この場合には雨天時に立体瓦３の上面に降った雨水が支持台で堰き止められ、特に支持台の棟側に雨水が溜まりやすくなるという問題がある。
【先行技術文献】
【特許文献】
【０００９】
【特許文献１】特許第２７７９１３４号公報
【発明の概要】
【発明が解決しようとする課題】
【００１０】
本発明は上記の点に鑑みてなされたものであり、機能部材を支持する支持具を受け材を介して立体瓦に安定して固定することができると共に、受け材の棟側などに雨水が溜まることを抑制することができる機能部材の屋根への設置構造を提供することを目的とするものである。
【課題を解決するための手段】
【００１１】
本発明に係る機能部材の屋根への設置構造は、機能部材が屋根へ設置された構造であって、前記屋根が、上面に高低差を有する立体瓦を葺設して形成され、前記立体瓦の上面に前記立体瓦と別部材の受け材が固定され、前記受け材の下面が前記立体瓦の上面に合致するように形成され、前記受け材の端縁の断面形状が鋭角をなしており、前記立体瓦の上面の最低部を通る溝が棟側から軒側にかけて前記受け材の下面に形成され、前記受け材の上面に前記受け材と別部材の支持具が固定されていると共に前記支持具に前記機能部材が支持されていることを特徴とするものである。
【００１２】
本発明に係る機能部材の屋根への設置構造は、機能部材が屋根へ設置された構造であって、前記屋根が、上面に高低差を有する立体瓦を葺設して形成され、前記立体瓦の上面に前記立体瓦と別部材の受け材が固定され、前記受け材の下面が前記立体瓦の上面に合致するように形成され、前記受け材の端縁の断面形状が鋭角をなしており、前記立体瓦の上面の最低部を通る隙間が棟側から軒側にかけて形成されるように前記受け材が分割され、分割された前記受け材の上面に前記受け材と別部材の支持具が架け渡して固定されていると共に前記支持具に前記機能部材が支持されていることを特徴とするものである。
【００１３】
前記機能部材の屋根への設置構造において、前記立体瓦と前記受け材との間に防水材が介在されていることが好ましい。
【００１４】
前記機能部材の屋根への設置構造において、前記受け材に上面から下面に貫通するビス孔が形成され、前記ビス孔に防水シール材が充填され、ビスが前記支持具から前記受け材の前記ビス孔に打入されることによって前記受け材の上面に前記支持具が固定されていることが好ましい。
【発明の効果】
【００１５】
本発明によれば、立体瓦の上面に高低差があっても、受け材の下面が立体瓦の上面に合致するように形成されていることによって、機能部材を支持する支持具を受け材を介して立体瓦に安定して固定することができるものである。また受け材の下面に形成された溝又は受け材が分割されて形成された隙間が雨水の流路として機能することによって、受け材の棟側などに雨水が溜まることを抑制することができるものである。
【図面の簡単な説明】
【００１６】
【図１】本発明に係る機能部材の屋根への設置構造の一例（実施形態１）を示す断面図である。
【図２】図１に示す機能部材の屋根への設置構造を形成する工程を示すものであり、（ａ）（ｂ）は斜視図である。
【図３】本発明に係る機能部材の屋根への設置構造の他の一例（実施形態２）を示す断面図である。
【図４】図３に示す機能部材の屋根への設置構造を形成する工程を示すものであり、（ａ）（ｂ）は斜視図である。
【図５】従来の機能部材の屋根への設置構造の一例を示す斜視図である。
【図６】従来の機能部材の屋根への設置構造の他の一例を示す斜視図である。
【発明を実施するための形態】
【００１７】
以下、本発明の実施の形態を説明する。
【００１８】
（実施形態１）
図１は本発明に係る機能部材１の屋根２への設置構造の一例を示すものである。これは、太陽電池（ＰＶ：Photovoltaic）、太陽熱温水器、看板類、アンテナ等の機能部材１が屋根２へ設置された構造である。
【００１９】
屋根２は、野地板１３の上面にアスファルトルーフィング１４を貼設した後、この上面に複数の立体瓦３を軒棟方向に平行な方向及び軒棟方向に垂直な方向に葺設して形成されている。立体瓦３は、上面に凹曲面などの高低差を有するものであれば、特に限定されるものではない。このような立体瓦３は、窯業系材料を用いて形成することができる。屋根２の全体の形状は例えば切妻造や寄棟造などを挙げることができるが、これらのものに限定されるものではない。
【００２０】
そして、機能部材１を屋根２へ設置するにあたっては、まず図２（ａ）に示すように所定の立体瓦３の上面に受け材４を固定する。なお、図２では受け材４を固定する立体瓦３を図示し、この立体瓦３の周囲に葺設される立体瓦３の図示は省略している。
【００２１】
ここで、受け材４の下面は、立体瓦３の上面に合致するように形成されている。例えば、立体瓦３の上面が凹曲面状に形成されている場合には、この形状に合致するように受け材４の下面は凸曲面状に形成されている。また受け材４の下面には、棟側から軒側にかけて溝６が形成されている。この溝６は、立体瓦３の上面の最も低い箇所である最低部５を通っている。他方、受け材４の上面は、支持具７（後述）を固定しやすい形状に形成されていれば特に限定されるものではないが、以下では受け材４の上面が平坦状に形成されている場合について説明する。また受け材４には上面から下面に貫通するビス孔１０が形成されている。このビス孔１０にビス１２を打入して、ビス１２の先端を野地板１３に突き刺すことによって、立体瓦３の上面に受け材４を固定することができる。上記のような受け材４は、窯業系材料を用いて形成することができる。
【００２２】
次に図２（ｂ）に示すように受け材４の上面に支持具７を固定する。支持具７は、機能部材１を支持しやすい形状に形成されていれば特に限定されるものではないが、以下では支持具７として、底板１５の両端から上方に側板１６を延設して断面視略Ｕ字状に形成されたものを用いる場合について説明する。このような支持具７は、金属板を折曲して形成することができる。支持具７の固定は、受け材４の固定を行った後に、受け材４の上面に底板１５を重ね、この底板１５からビス１２を打入して、ビス１２の先端を受け材４に突き刺すことによって行うことができるが、次のようにして行ってもよい。すなわち、まず立体瓦３の上面に受け材４を載置し、さらにこの受け材４の上面に支持具７の底板１５を重ねて支持具７を載置する。その後、支持具７の底板１５から受け材４のビス孔１０を貫通するようにビス１２を打入して、ビス１２の先端を野地板１３に突き刺すことによって、立体瓦３の上面に受け材４及び支持具７を一度に固定するようにしてもよい。
【００２３】
そして、支持具７に機能部材１を支持することによって、図１に示すような機能部材１の屋根２への設置構造を形成することができる。支持具７によって機能部材１を支持する方法は特に限定されるものではないが、図１に示すものでは次のようにして支持具７に機能部材１を支持している。機能部材１の下面には取付具１７が設けられている。取付具１７は、取付板１８の両端から下方に取付片１９を延設して断面視略逆Ｕ字状に形成されている。このような取付具１７は、金属板を折曲して形成することができる。取付具１７は、ビス留めや接着などにより取付板１８で機能部材１の下面に固定されている。そして、支持具７に取付具１７を被せ、ボルト及びナット等の固着具２０により支持具７の側板１６に取付具１７の取付片１９を取り付けることによって、支持具７に機能部材１を支持することができる。
【００２４】
上記のように形成された機能部材１の屋根２への設置構造においては、立体瓦３の上面に高低差があっても、受け材４の下面が立体瓦３の上面に合致するように形成されていることによって、機能部材１を支持する支持具７を受け材４を介して立体瓦３に安定して固定することができるものである。また、受け材４の下面に形成された溝６が雨水の流路として機能することによって、受け材４の棟側などに雨水が溜まることを抑制することができるものである。
【００２５】
また図１に示すように、立体瓦３と受け材４との間には、パッキン材やシーリング材等の防水材９を介在させておくことが好ましい。防水材９は、例えば、ブチルゴム、ＥＰＤＭゴム、シリコンゴム等で形成することができる。このような防水材９が立体瓦３と受け材４との間に介在されていると、受け材４などを立体瓦３に固定するためのビス１２が立体瓦３の上面から下面に貫通して打入されている場合に、このビス１２の貫通箇所を通って雨水が立体瓦３の上面から下面に浸入することを防水材９によって抑制することができるものである。また、受け材４が防水材９を被覆しているので、太陽光の紫外線が防水材９に直接照射されることを受け材４で抑制することができ、防水材９の耐久性を長期間維持することができるものである。
【００２６】
また図１に示すように、ビス孔１０に防水シール材１１を充填しておくことが好ましい。これにより、雨水が受け材４の上面から下面に浸入することを防水シール材１１によって抑制することができるものである。
【００２７】
（実施形態２）
図３は本発明に係る機能部材１の屋根２への設置構造の他の一例を示すものである。これも実施形態１と同様に、太陽電池（ＰＶ：Photovoltaic）、太陽熱温水器、看板類、アンテナ等の機能部材１が屋根２へ設置された構造である。
【００２８】
屋根２も、実施形態１と同様に形成されている。
【００２９】
そして、機能部材１を屋根２へ設置するにあたっては、まず図４（ａ）に示すように所定の立体瓦３の上面に受け材４を固定する。なお、図４では受け材４を固定する立体瓦３を図示し、この立体瓦３の周囲に葺設される立体瓦３の図示は省略している。
【００３０】
ここで、受け材４は、複数に分割されて形成されている。以下では受け材４を２つの分割受け材４ａ，４ｂに分割したものについて説明するが、分割数などはこれに限定されるものではない。受け材４を構成する各分割受け材４ａ，４ｂの下面は、立体瓦３の上面に合致するように形成されている。例えば、立体瓦３の上面が凹曲面状に形成されている場合には、この形状に合致するように各分割受け材４ａ，４ｂの下面は凸曲面状に形成されている。また分割受け材４ａ，４ｂ同士の間には棟側から軒側にかけて隙間８が形成されている。この隙間８は、立体瓦３の上面の最も低い箇所である最低部５を通っている。他方、受け材４を構成する各分割受け材４ａ，４ｂの上面は、支持具７を固定しやすい形状に形成されていれば特に限定されるものではないが、以下では実施形態１と同様に各分割受け材４ａ，４ｂの上面が平坦状に形成されている場合について説明する。また各分割受け材４ａ，４ｂには上面から下面に貫通するビス孔１０が形成されている。このビス孔１０にビス１２を打入して、ビス１２の先端を野地板１３に突き刺すことによって、立体瓦３の上面に各分割受け材４ａ，４ｂを固定することができる。上記のような分割受け材４ａ，４ｂも、窯業系材料を用いて形成することができる。
【００３１】
次に図４（ｂ）に示すように分割された受け材４の上面に支持具７を架け渡して固定する。支持具７は、機能部材１を支持しやすい形状に形成されていれば特に限定されるものではないが、以下では実施形態１と同様の支持具７を用いる場合について説明する。支持具７の固定は、各分割受け材４ａ，４ｂの固定を行った後に、各分割受け材４ａ，４ｂの上面に底板１５を架け渡して重ね、この底板１５からビス１２を打入して、ビス１２の先端を各分割受け材４ａ，４ｂに突き刺すことによって行うことができるが、次のようにして行ってもよい。すなわち、まず立体瓦３の上面に各分割受け材４ａ，４ｂを載置し、さらにこれらの分割受け材４ａ，４ｂの上面に支持具７の底板１５を架け渡して重ねて支持具７を載置する。その後、支持具７の底板１５から各分割受け材４ａ，４ｂのビス孔１０を貫通するようにビス１２を打入して、ビス１２の先端を野地板１３に突き刺すことによって、立体瓦３の上面に各分割受け材４ａ，４ｂ及び支持具７を一度に固定するようにしてもよい。
【００３２】
そして、支持具７に機能部材１を支持することによって、図３に示すような機能部材１の屋根２への設置構造を形成することができる。支持具７によって機能部材１を支持する方法は特に限定されるものではないが、図３に示すものでは実施形態１と同様にして支持具７に機能部材１を支持している。すなわち、機能部材１の下面に設けられた取付具１７を支持具７に被せ、ボルト及びナット等の固着具２０により支持具７の側板１６に取付具１７の取付片１９を取り付けることによって、支持具７に機能部材１を支持することができる。
【００３３】
上記のように形成された機能部材１の屋根２への設置構造においては、立体瓦３の上面に高低差があっても、受け材４を構成する分割受け材４ａ，４ｂの下面が立体瓦３の上面に合致するように形成されていることによって、機能部材１を支持する支持具７を分割受け材４ａ，４ｂを介して立体瓦３に安定して固定することができるものである。また受け材４が分割されて形成された隙間８が雨水の流路として機能することによって、受け材４の棟側などに雨水が溜まることを抑制することができるものである。
【００３４】
また図３に示すように、立体瓦３と各分割受け材４ａ，４ｂとの間には、パッキン材やシーリング材等の防水材９を介在させておくことが好ましい。防水材９は、例えば、ブチルゴム、ＥＰＤＭゴム、シリコンゴム等で形成することができる。このような防水材９が立体瓦３と各分割受け材４ａ，４ｂとの間に介在されていると、各分割受け材４ａ，４ｂなどを立体瓦３に固定するためのビス１２が立体瓦３の上面から下面に貫通して打入されている場合に、このビス１２の貫通箇所を通って雨水が立体瓦３の上面から下面に浸入することを防水材９によって抑制することができるものである。また、各分割受け材４ａ，４ｂが防水材９を被覆しているので、太陽光の紫外線が防水材９に直接照射されることを各分割受け材４ａ，４ｂで抑制することができ、防水材９の耐久性を長期間維持することができるものである。
【００３５】
また図３に示すように、ビス孔１０に防水シール材１１を充填しておくことが好ましい。これにより、雨水が各分割受け材４ａ，４ｂの上面から下面に浸入することを防水シール材１１によって抑制することができるものである。
【符号の説明】
【００３６】
１  機能部材
２  屋根
３  立体瓦
４  受け材
５  最低部
６  溝
７  支持具
８  隙間
９  防水材
１０  ビス孔
１１  防水シール材
１２  ビス
【図１】
0006030858.tif 000002
【図２】
0006030858.tif 000003
【図３】
0006030858.tif 000004
【図４】
0006030858.tif 000005
【図５】
0006030858.tif 000006
【図６】
0006030858.tif 000007